(57)【特許請求の範囲】
【請求項１】
真空吸引部によって吸引された液体をタンクに貯溜し、タンクの液面上昇により真空吸引部への吸引口を閉塞可能としたフロート弁を有する真空吸引機において、タンクの上部に位置する真空吸引部への吸引口の周囲を囲み、かつ下面に開口部を有する弁ケーシングを真空吸引部の下部に設け、真空吸引部への吸引口を閉塞可能な弁体と液面とともに昇降可能に設けられたフロートとを弁軸により上下に結合したフロート弁を構成するとともに、弁体及び弁軸上部を弁ケーシング内に配置し、液体を含む吸引流体が上記吸引口へ直行しないように衝突させ、かつ、上記弁軸を通過させる衝突板を上記吸引口と弁ケーシングの開口部との間に設け、衝突板によって向きを変え全体として過流が形成されるように吸引流体を旋回させる制流板を複数個上記衝突板の中心から偏心させてほぼ放射状に設けたことを特徴とする防沫装置。
【請求項２】
フロート弁は、支持体を兼ねる衝突板に設けられている中央軸口に弁軸を通すことによって上下動可能にガイドされており、このガイド機構によって衝突板とフロート弁とを一体化した防沫フロート弁がユニットとして扱えるようになっている請求項１記載の真空吸引機における防沫装置。
【発明の詳細な説明】
【０００１】
【発明の属する技術分野】
本発明は、真空吸引部によって吸引された液体をタンクに貯溜し、タンク液面の上昇により真空吸引部への吸引口を閉塞可能としたフロート弁を有する真空吸引機における防沫装置に関するものである。
【０００２】
【従来の技術】
真空吸引機には液体の吸引が可能なものも使用されているが従来の飛沫の処置が問題となる。従来行われて来た方法は、例えば図４に示すように水フィルタ９によって飛沫の影響を除去し、フロート８により吸引口７を閉塞して、液の吸い込みを防止していた。しかし水フィルタでは、飛沫量が増すと通過速度が上昇し分離能力が低下し易いという問題を生じる。さらにまた、液面高が吸引口に接近するほど、フロート８を構成するボールが吸引口との隙間を狭くするため吸引口への吸引流速が上昇し、飛沫を吸引し易くなるという欠点がある。
【０００３】
【発明が解決しようとする課題】
本発明は前記のような従来の問題点及び欠点を解決するためになされたものであって、その課題は、吸引流体に含まれる液体が真空吸引部に流入するのを防止することである。
【０００４】
【課題を解決するための手段】
前記の課題を解決するため本発明は、真空吸引部によって吸引された液体をタンクに貯溜し、タンクの液面上昇により真空吸引部への吸引口を閉塞可能としたフロート弁を有する真空吸引機において、タンクの上部に位置する真空吸引部への吸引口の周囲を囲み、かつ下面に開口部を有する弁ケーシングを真空吸引部の下部に設け、真空吸引部への吸引口を閉塞可能な弁体と液面とともに昇降可能に設けられたフロートとを弁軸により上下に結合したフロート弁を構成するとともに、弁体及び弁軸上部を弁ケーシング内に配置し、液体を含む吸引流体が上記吸引口へ直行しないように衝突させ、かつ、上記弁軸を通過させる衝突板を上記吸引口と弁ケーシングの開口部との間に設け、衝突板によって向きを変え全体として過流が形成されるように吸引流体を旋回させる制流板を複数個上記衝突板の中心から偏心させてほぼ放射状に設けるという手段を講じたものである。
【０００５】
【発明の実施の形態】
本発明に係る防沫装置は、真空吸引機によって液体を吸引した場合に生じる飛沫の処理を扱う。この真空吸引機は、真空吸引部によって吸引された液体をタンクに貯溜し、タンク液面の上昇により真空吸引部への吸引口を閉塞可能としたフロート弁を有する。
【０００６】
本発明における真空吸引部の吸引口は、筒状ないし管状の部分の開口端であることが望ましいが、この筒状ないし管状の部分は、従来例における止水管（図４の符号６）よりも短縮可能である。この吸引口を閉塞可能とするためにフロート弁が設けられている。このようなフロート弁を持ちながら、吸引流体に含まれている液体の真空吸引部への侵入を効果的に防止できる点に本発明の特徴がある。
【０００７】
このために、本発明では、真空吸引部への吸引口の周囲を囲み、かつ下面に開口部を有する弁ケーシングを真空吸引部の下面に設けている。下面の開口部は吸引気流を誘導する開口であり、吸引気流は開口部からのみ弁ケーシング内に流入する。
【０００８】
上記真空吸引部への吸引口を閉塞可能な弁体と、液面とともに昇降可能に設けられたフロートとが弁軸により結合され、１個のフロート弁を構成する。吸引口の口縁が弁座になり、そこに弁体が接触して閉弁、弁座から弁体が離れると開弁の各状態となる。１個のフロート弁は弁ケーシング内に配置され、その配置状態において、吸引口を閉塞可能にフロート弁が誘導される。
【０００９】
そして、液体を含む吸引流体が上記の吸引口へ直行しないように衝突させ、液体を付着させる衝突板が、吸引口と弁ケーシングの開口部から内部へ流入する吸引流体の流線と交差する形態を持つか、或いは吸引流体の流線と交差する配置で設けられる。一般的に、衝突板は吸引口を覆うように設けるためそれとほぼ同径かまたはより大径である方が効果が大きい。
【００１０】
さらに、衝突板との衝突によって向きを変える吸引流体を旋回させるために制流板が設けられる。衝突板に衝突した吸引流体が四方へほぼ均等に向きを変える場合、吸引流体は中心から半径方向外方へ向かう放射状の流れとなるが、これを制流板（羽根）によって旋回させ、渦流を形成する。渦流に変化することによって円周方向の運動成分が生じ、吸引流体に含まれる液体はケーシング内壁に付着するので吸引口へ向かう量は問題にならない程度にまで減少する。
【００１１】
【実施例】
以下、図面を参照して本発明をより詳細に説明する。図１は、本発明を適用する真空吸引機１０を示しており、湿式吸引部１１を装備可能である一方、液対策が不要な乾式吸引部１２をも装着可能である。湿式、乾式両吸引部１１、１２は選択的に使用される。
【００１２】
真空吸引機１０は吸引した液体や固形のごみを貯溜可能なタンク１３を有しており、タンク１３の上端開口部分を塞ぐように真空吸引部１４が着脱可能に設けられている。真空吸引部１４は真空吸引のためのいわゆる高圧用ブロワ１５を有し、同ブロワ１５は電動モータで示された駆動源１６によって回転する。この真空吸引部１４はタンク１３の開口を塞ぐ蓋板１７ａとなり、かつブロワ１５等を設けた作動部の底板１７ｂともなっている基盤に設けられている。その中央部下面に通口１８が開いており、これを囲むテーパ管状部１９の下端には真空吸引部１４への吸引口２０が開設されている。
【００１３】
上記吸引口２０の周囲を囲みかつ下へ向かってのびた弁ケーシング２１が基板１７の下面に設けられている。弁ケーシング２１は、大径のテーパ筒状の形状を有し、下面の中心部に吸引流体の流入可能な開口部２２を有する。弁ケーシング２１は基板１７に上端で気密、液密に取り付けられており、内部は吸引口２０よりも上に延びた広い空間２３となっている。
【００１４】
吸引口２０を閉じる弁体２４と、液面とともに昇降可能なフロート２５とを弁軸２６により上下に結合したフロート弁２７は、開口部２２から弁ケーシング内に配置される。フロート弁２７は、弁軸２６を支持体を兼ねる衝突板２８の中央軸口２９に通すことによって上下動可能にガイドされており、このガイド機構によって衝突板２８とフロート弁２７とが一体化した防沫フロート弁は、ユニット３０として扱えるようになっている（図２参照）。
【００１５】
衝突板２８は、前記開口部２２に下端の複数個の支片３１によって取り付けられる。この支片３１と衝突板２８との間には制流板３２が介在させてあり、制流板３２は、中央軸口２９から偏心させてあることによって、吸引流体を旋回させ全体として渦流が形成されるように企図されている。なお、支片３１は弁ケーシング２１の内フランジに止着されている。また弁ケーシング２１には、ケージ３３が取り付けられており、フロート２５を保護している。
【００１６】
故に、タンク１３に設けられている接続口３４に図外の吸引ノズルを接続し、ブロワ１５のスイッチを入れると、ノズルから液体を含む吸引流体がタンク内に吸引され、液体はタンク内に溜まり、或いは気流に乗って吸引され、開口部２２に流入する。開口部２２に流入した吸引流体は全体として一様な上向きの流れであり、従って、フロート弁２７を支えている衝突板２８に衝突して運動エネルギーを失い、液滴は落下する。ここで外方へ向きを変えた吸引流体は制流板３２によって旋回流となり、弁ケーシング２１の内壁に、残っている液滴を衝突、落下させることとなる。さらに、旋回流は上方の広い空間２３に流れ込み、その後吸引口２０より機外へ排出される。
【００１７】
またタンク内に貯溜される液体の量が増してフロート弁２７が吸引口２０を閉じる直前の状態になっても、フロート２５は弁体２４から十分下に離れているため、吸引口２０への流入量が絞られるという現象は起こらない。従って、閉弁間際まで液滴の吸引口２０への流入を防止することができる。
【００１８】
【発明の効果】
本発明は以上の如く構成され、かつ作用するものであるから、液体を含む吸引流体は吸引口を塞ぐように配置された衝突板に衝突し、次いで制流板によって旋回流となるので、液滴を衝突板と弁ケーシングに突き当てることで効率良く回収することができ、真空吸引部に飛沫が流入するのを効果的に防止することができる。また、弁体とフロートによってフロート弁を構成したので、液面高が吸引口に接近しても吸引流体の流速の増すことがなく、飛沫を吸引させる状態には到らない。
【図面の簡単な説明】
【図１】本発明に係る真空吸引機における防沫装置の実施例１を示す真空吸引機の断面説明図。
【図２】本発明の要部であるフロート弁ユニットの１例を示す斜視図。
【図３】同じく本発明の作用を示す説明図。
【図４】従来のフロート弁の作用を示す説明図。
【図１】
0004757988.tif 000002
【図２】
0004757988.tif 000003
【図３】
0004757988.tif 000004
【図４】
0004757988.tif 000005